(57)【特許請求の範囲】
【請求項１】
フェムトノードと通信するデバイスとマクロセル基地局と通信するデバイスとの間のアップリンク干渉を管理するための方法であって、
マクロセル基地局に対するフェムトノードと通信する潜在的デバイスにおける第１のパスロスを判定することと、
前記フェムトノードに対する前記潜在的デバイスにおける第２のパスロスを判定することと、
前記第１のパスロスと前記第２のパスロスとの間の差、および前記マクロセル基地局における最大干渉レベルに少なくとも基づいて、前記フェムトノードのためのライズオーバサーマル（ＲｏＴ）しきい値を生成することと、
ここで、前記第１および前記第２のパスロスを判定することは、モバイルデバイスからの１つまたは複数の測定報告において受信されたマクロセルパスロスおよびフェムトノードパスロスにそれぞれ基づく
を備える方法。
【請求項２】
前記第１のパスロスを判定することが、前記フェムトノードから前記マクロセル基地局へのフェムトノードパスロスを測定することを備え、前記第２のパスロスを判定することが前記フェムトノードのカバレージエリアに基づく請求項１に記載の方法。
【請求項３】
前記フェムトノードに対するフェムトノードパスロスを測定することをさらに備え、前記フェムトノードに対する前記潜在的デバイスにおける前記パスロスを判定することが、前記フェムトノードのカバレージエリアを適用することを備える請求項１に記載の方法。
【請求項４】
１つまたは複数のモバイルデバイスから前記フェムトノードへの複数のフェムトノードパスロスと、前記１つまたは複数のモバイルデバイスから前記マクロセル基地局への複数のマクロセルパスロスとを備える、前記１つまたは複数のモバイルデバイスからの１つまたは複数の測定報告を受信することをさらに備え、前記第２のパスロスを判定することが前記複数のフェムトノードパスロスに基づき、前記第１のパスロスを判定することが前記複数のマクロセルパスロスに基づく請求項１に記載の方法。
【請求項５】
前記マクロセル基地局の第１の雑音フロアレベルと前記フェムトノードの第２の雑音フロアレベルとの差に基づいて、前記マクロセル基地局における前記最大干渉レベルを判定することをさらに備える請求項１に記載の方法。
【請求項６】
セル外干渉に適用される最大逆方向リンク（ＲＬ）減衰レベルを判定することと、
前記ＲｏＴしきい値を前記最大ＲＬ減衰レベルにマッピングすることと、
前記ＲｏＴしきい値と前記最大ＲＬ減衰レベルとの間の差として新しいしきい値を生成することと
をさらに備える請求項１に記載の方法。
【請求項７】
前記ＲｏＴしきい値を生成することが、絶対最大ＲｏＴしきい値または絶対最小ＲｏＴしきい値にさらに基づく請求項１に記載の方法。
【請求項８】
前記ＲｏＴしきい値に対する現在のＲｏＴを１つまたは複数のデバイスに示すことをさらに備える請求項１に記載の方法。
【請求項９】
前記ＲｏＴしきい値に対する現在のＲｏＴに部分的に基づいて、アップリンクデータレートを適合させるために１つまたは複数のデバイスにコマンドを通信することをさらに備える請求項１に記載の方法。
【請求項１０】
フェムトノードと通信するデバイスとマクロセル基地局と通信するデバイスとの間のアップリンク干渉を管理するための装置であって、
マクロセル基地局に対するフェムトノードと通信する潜在的デバイスにおける第１のパスロスを判定し、
前記フェムトノードに対する前記潜在的デバイスにおける第２のパスロスを判定し、
前記第１のパスロスと前記第２のパスロスとの間の差、および前記マクロセル基地局における最大干渉レベルに少なくとも基づいて、前記フェムトノードのためのライズオーバサーマル（ＲｏＴ）しきい値を生成する、
ここで、前記第１および前記第２のパスロスを判定することは、前記デバイスからの１つまたは複数の測定報告において受信されたマクロセルパスロスおよびフェムトノードパスロスにそれぞれ基づく
ように構成された少なくとも１つのプロセッサと、
前記少なくとも１つのプロセッサに結合されたメモリと
を備える装置。
【請求項１１】
前記少なくとも１つのプロセッサが、前記フェムトノードから前記マクロセル基地局へのフェムトノードパスロスを測定することに基づいて前記第１のパスロスを判定し、前記少なくとも１つのプロセッサが、前記フェムトノードのカバレージエリアに基づいて前記第２のパスロスを判定する請求項１０に記載の装置。
【請求項１２】
前記少なくとも１つのプロセッサが、前記フェムトノードに対するフェムトノードパスロスを測定するようにさらに構成され、前記少なくとも１つのプロセッサが、前記フェムトノードのカバレージエリアを適用することによって、前記フェムトノードに対する前記潜在的デバイスにおける前記パスロスを判定する請求項１０に記載の装置。
【請求項１３】
フェムトノードと通信するデバイスとマクロセル基地局と通信するデバイスとの間のアップリンク干渉を管理するための装置であって、
マクロセル基地局に対するフェムトノードと通信する潜在的デバイスにおける第１のパスロスを判定し、前記フェムトノードに対する前記潜在的デバイスにおける第２のパスロスを判定するための手段と、
前記第１のパスロスと前記第２のパスロスとの間の差、および前記マクロセル基地局における最大干渉レベルに少なくとも基づいて、前記フェムトノードのためライズオーバサーマル（ＲｏＴ）しきい値を生成するための手段と、
ここで、前記第１および前記第２のパスロスを判定することは、前記デバイスからの１つまたは複数の測定報告において受信されたマクロセルパスロスおよびフェムトノードパスロスにそれぞれ基づく
を備える装置。
【請求項１４】
前記判定するための手段が、前記フェムトノードから前記マクロセル基地局へのフェムトノードパスロスを測定することによって前記第１のパスロスを判定し、前記判定するための手段が、前記フェムトノードのカバレージエリアに基づいて前記第２のパスロスを判定する請求項１３に記載の装置。
【請求項１５】
前記判定するための手段が、前記フェムトノードに対するフェムトノードパスロスを測定し、少なくとも前記フェムトノードのカバレージエリアを適用することによって、前記フェムトノードに対する前記潜在的デバイスにおける前記パスロスを判定する請求項１３に記載の装置。
【請求項１６】
フェムトノードと通信するデバイスとマクロセル基地局と通信するデバイスとの間のアップリンク干渉を管理するためのコンピュータ可読記録媒体であって、
少なくとも１つのコンピュータに、マクロセル基地局に対するフェムトノードと通信する潜在的デバイスにおける第１のパスロスを判定させるためのコードと、
前記少なくとも１つのコンピュータに、前記フェムトノードに対する前記潜在的デバイスにおける第２のパスロスを判定させるためのコードと、
前記少なくとも１つのコンピュータに、前記第１のパスロスと前記第２のパスロスとの間の差、および前記マクロセル基地局における最大干渉レベルに少なくとも基づいて、前記フェムトノードのためのライズオーバサーマル（ＲｏＴ）しきい値を生成させるためのコードと、
ここで、前記第１および前記第２のパスロスを判定するためのコードは、前記デバイスからの１つまたは複数の測定報告において受信されたマクロセルパスロスおよびフェムトノードパスロスにそれぞれ基づく
を備えるコンピュータ可読記録媒体。
【請求項１７】
前記少なくとも１つのコンピュータに判定させるための前記コードが、少なくとも前記フェムトノードから前記マクロセル基地局へのフェムトノードパスロスを測定することによって前記第１のパスロスを判定し、前記フェムトノードのカバレージエリアに基づいて前記第２のパスロスを判定する請求項１６に記載のコンピュータ可読記録媒体。
【請求項１８】
前記コンピュータ可読記録媒体が、前記少なくとも１つのコンピュータに、前記フェムトノードに対するフェムトノードパスロスを測定させるためのコードをさらに備え、前記少なくとも１つのコンピュータに判定させるための前記コードが、前記フェムトノードのカバレージエリアを適用することによって、前記フェムトノードに対する前記潜在的デバイスにおける前記パスロスを判定する請求項１６に記載のコンピュータ可読記録媒体。
【請求項１９】
前記コンピュータ可読記録媒体が、前記少なくとも１つのコンピュータに、少なくとも１つのモバイルデバイスから前記フェムトノードへの前記第１のパスロスと、前記少なくとも１つのモバイルデバイスから前記マクロセル基地局への前記第２のパスロスとを備える、前記少なくとも１つのモバイルデバイスからの測定報告を受信させるためのコードをさらに備える請求項１６に記載のコンピュータ可読記録媒体。
【請求項２０】
フェムトノードと通信するデバイスとマクロセル基地局と通信するデバイスとの間のアップリンク干渉を管理するための装置であって、
マクロセル基地局に対するフェムトノードと通信する潜在的デバイスにおける第１のパスロスを判定し、前記フェムトノードに対する前記潜在的デバイスにおける第２のパスロスを判定するためのデバイスパスロス判定構成要素と、
前記第１のパスロスと前記第２のパスロスとの間の差、および前記マクロセル基地局における最大干渉レベルに少なくとも基づいて、前記フェムトノードのためのライズオーバサーマル（ＲｏＴ）しきい値を生成するためのＲｏＴしきい値計算構成要素と、
ここで、前記デバイスパスロス判定構成要素は、前記デバイスからの１つまたは複数の測定報告において受信されたマクロセルパスロスおよびフェムトノードパスロスにそれぞれ基づくように前記第１および前記第２のパスロスを判定するようにさらに構成される
を備える装置。
【請求項２１】
前記デバイスパスロス判定構成要素が、前記フェムトノードから前記マクロセル基地局へのフェムトノードパスロスを測定することによって前記第１のパスロスを判定し、前記フェムトノードのカバレージエリアに基づいて前記第２のパスロスを判定する請求項２０に記載の装置。
【請求項２２】
前記デバイスパスロス判定構成要素が、前記フェムトノードに対するフェムトノードパスロスを測定し、少なくとも前記フェムトノードのカバレージエリアを適用することによって、前記フェムトノードに対する前記潜在的デバイスにおける前記パスロスを判定する請求項２０に記載の装置。
【請求項２３】
１つまたは複数のモバイルデバイスから前記フェムトノードへの複数のフェムトノードパスロスと、前記１つまたは複数のモバイルデバイスから前記マクロセル基地局への複数のマクロセルパスロスとを備える、前記１つまたは複数のモバイルデバイスからの１つまたは複数の測定報告を受信するための測定報告受信構成要素をさらに備え、前記デバイスパスロス判定構成要素が、前記複数のフェムトノードパスロスに基づいて前記第２のパスロスを判定し、前記第１のパスロスが前記複数のマクロセルパスロスに基づく請求項２０に記載の装置。
【請求項２４】
前記マクロセル基地局の第１の雑音フロアレベルと前記フェムトノードの第２の雑音フロアレベルとの差に基づいて、前記マクロセル基地局における前記最大干渉レベルを判定するための最大干渉判定構成要素をさらに備える請求項２０に記載の装置。
【請求項２５】
セル外干渉に適用される最大逆方向リンク（ＲＬ）減衰レベルを判定し、前記ＲｏＴしきい値を前記最大ＲＬ減衰レベルにマッピングするためのＲＬ減衰構成要素をさらに備え、前記ＲｏＴしきい値計算構成要素が、前記ＲｏＴしきい値と前記最大ＲＬ減衰レベルとの差として新しいＲｏＴしきい値を生成する請求項２０に記載の装置。
【請求項２６】
前記ＲｏＴしきい値計算構成要素が、絶対最大ＲｏＴしきい値または絶対最小ＲｏＴしきい値にさらに基づいて前記ＲｏＴしきい値を生成する請求項２０に記載の装置。
【請求項２７】
前記ＲｏＴしきい値に対する現在のＲｏＴを１つまたは複数のデバイスに示すためのＲｏＴしきい値実行構成要素をさらに備える請求項２０に記載の装置。
【請求項２８】
前記ＲｏＴしきい値に対する現在のＲｏＴに基づいて、アップリンクデータレートを適合させるために１つまたは複数のデバイスにコマンドを通信するためのＲｏＴしきい値実行構成要素をさらに備える請求項２０に記載の装置。
【発明の詳細な説明】
【技術分野】
【０００１】
米国特許法第１１９条に基づく優先権の主張
本特許出願は、本出願の譲受人に譲渡され、参照により明確に本明細書に組み込まれる、２０１０年９月２９日に出願された「Ａｄａｐｔｉｖｅ  ＲｏＴ  Ｔｈｒｅｓｈｏｌｄ  Ｒｅｖｅｒｓｅ  Ｌｉｎｋ  Ａｔｔｅｎｕａｔｉｏｎ  ｆｏｒ  Ｌｏｗ  Ｐｏｗｅｒ  Ｂａｓｅ  Ｓｔａｔｉｏｎｓ」と題する仮出願第６１／３８７，８９１号の優先権を主張する。
【０００２】
以下の説明は、一般にワイヤレスネットワーク通信に関し、より詳細には、ライズオーバサーマルしきい値を調整することに関する。
【背景技術】
【０００３】
ワイヤレス通信システムは、たとえばボイス、データなど、様々なタイプの通信コンテンツを提供するために広く展開されている。典型的なワイヤレス通信システムは、使用可能なシステムリソース（たとえば、帯域幅、送信電力、．．．）を共有することによって複数のユーザとの通信をサポートすることが可能な多元接続システムとすることができる。そのような多元接続システムの例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどがある。さらに、システムは、第３世代パートナーシッププロジェクト（３ＧＰＰ）（たとえば３ＧＰＰ  ＬＴＥ（ロングタームエボリューション）／ＬＴＥ−アドバンスド）、ウルトラモバイルブロードバンド（ＵＭＢ）、エボリューションデータオプティマイズド（ＥＶ−ＤＯ）などの規格に準拠することができる。
【０００４】
一般に、ワイヤレス多元接続通信システムは、複数のモバイルデバイスのための通信を同時にサポートすることができる。各モバイルデバイスは、順方向リンクおよび逆方向リンク上の送信を介して１つまたは複数の基地局と通信し得る。順方向リンク（またはダウンリンク）は基地局からモバイルデバイスへの通信リンクを指し、逆方向リンク（またはアップリンク）はモバイルデバイスから基地局への通信リンクを指す。さらに、モバイルデバイスと基地局との間の通信は、単入力単出力（ＳＩＳＯ）システム、多入力単出力（ＭＩＳＯ）システム、多入力多出力（ＭＩＭＯ）システムなどを介して確立され得る。
【０００５】
従来の基地局を補うために、追加の制限された基地局を展開して、よりロバストなワイヤレスカバレージをモバイルユニットに与え得る。たとえば、増分キャパシティの増大、よりリッチなユーザエクスペリエンス、屋内または他の特定の地理的カバレージなどのために、（たとえば、一般に、集合的にＨ（ｅ）ＮＢと呼ばれるホームノードＢまたはホームｅＮＢ、フェムトノード、ピコノードなどと呼ばれることがある）ワイヤレス中継局および低電力基地局が展開され得る。いくつかの構成では、モバイル事業者のネットワークへのバックホールリンクを与えることができる、ブロードバンド接続（たとえば、デジタル加入者回線（ＤＳＬ）ルータ、ケーブルまたは他のモデムなど）を介して、そのような低電力基地局をインターネットに接続することができる。したがって、たとえば、ユーザの自宅内に低電力基地局を展開して、ブロードバンド接続を介して１つまたは複数のデバイスにモバイルネットワークアクセスを与えることができる。
【０００６】
たとえば、低電力基地局は、マクロセル基地局のカバレージエリア内に展開され得る。従来のマクロセル基地局は低電力基地局よりもかなり高い電力で動作するので、低電力基地局との通信は、マクロセル基地局および／またはそれと通信するデバイスによって容易に干渉を受け得る。この点について、低電力基地局は、デバイス通信を改善するために許容可能なライズオーバサーマル（ＲｏＴ）を設定することができる。たとえば、ＲｏＴしきい値を高めることによって、デバイスは、低電力基地局との通信のために、ＲｏＴしきい値に達するまで伝送レート、したがって伝送電力を継続的に高めることができ、ＲｏＴしきい値に達するとき、低電力基地局は、それに対するアップリンクデータレート／電力を制限するようにデバイスに、通知し、かつ／またはコマンドを送ることができる。ＲｏＴしきい値はさらに、低電力基地局と通信するデバイスからマクロセル基地局および／またはそれと通信するデバイスへの干渉を緩和するように設定される。ＲｏＴしきい値は一般に、低電力基地局のための構成で固定パラメータとして設定される。
【発明の概要】
【０００７】
以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【０００８】
１つまたは複数の態様およびその対応する開示に従って、本開示は、デバイスが別の基地局への最大レベルを超える干渉を引き起こさないように、低電力基地局のためのライズオーバサーマル（ＲｏＴ）しきい値を適合させることに関連して様々な態様を説明する。たとえば、これは、最悪の状況における潜在的デバイスが別の基地局でフロアを上回らないことを保証することを含み得る。この点について、たとえばＲｏＴしきい値は、低電力基地局で測定および／またはそれ以外に受信された様々なパラメータに従って設定され得る。たとえば、低電力基地局は、低電力基地局のカバレージエリア、および低電力基地局から他の基地局へのパスロスに基づいて、他の基地局に対する潜在的デバイスのパスロスを推定することができる。推定されたパスロスに基づいて、低電力基地局は、低電力基地局と通信し、やはり他の基地局において雑音フロアレベルを下回って受信され得るためのアップリンクＳＩＮＲを潜在的デバイスが維持し得るＲｏＴレベルを判定することができ、判定されたＲｏＴに基づいてＲｏＴしきい値を構成することができる。別の例では、ＲｏＴは追加または代替として、ある時間期間にわたって１つまたは複数のデバイスから受信される測定報告から計算されるパスロスの差、適用される逆リンクの減衰量などに基づいて計算され得る。
【０００９】
一例によれば、フェムトノードと通信するデバイスとマクロセル基地局と通信するデバイスとの間のアップリンク干渉を管理するための方法が提供される。本方法は、マクロセル基地局に対するフェムトノードと通信する潜在的デバイスにおける第１のパスロスを判定することと、フェムトノードに対する潜在的デバイスにおける第２のパスロスを判定することとを含む。本方法は、第１のパスロスと第２のパスロスとの間の差、およびマクロセル基地局における最大干渉レベルに少なくとも部分的に基づいて、フェムトノードのためのＲｏＴしきい値を生成することをさらに含む。
【００１０】
別の態様では、フェムトノードと通信するデバイスとマクロセル基地局と通信するデバイスとの間のアップリンク干渉を管理するための装置が提供される。本装置は、マクロセル基地局に対するフェムトノードと通信する潜在的デバイスにおける第１のパスロスを判定し、フェムトノードに対する潜在的デバイスにおける第２のパスロスを判定するように構成された少なくとも１つのプロセッサを含む。少なくとも１つのプロセッサは、第１のパスロスと第２のパスロスとの間の差、およびマクロセル基地局における最大干渉レベルに少なくとも部分的に基づいて、フェムトノードのためのＲｏＴしきい値を生成するようにさらに構成される。本装置はまた、少なくとも１つのプロセッサに結合されたメモリを含む。
【００１１】
さらに別の態様では、マクロセル基地局に対するフェムトノードと通信する潜在的デバイスにおける第１のパスロスを判定し、フェムトノードに対する潜在的デバイスにおける第２のパスロスを判定するための手段を含む、フェムトノードと通信するデバイスとマクロセル基地局と通信するデバイスとの間のアップリンク干渉を管理するための装置が提供される。本装置は、第１のパスロスと第２のパスロスとの間の差、およびマクロセル基地局における最大干渉レベルに少なくとも部分的に基づいて、フェムトノードのためのＲｏＴしきい値を生成するための手段をさらに含む。
【００１２】
さらに別の態様では、少なくとも１つのコンピュータに、マクロセル基地局に対するフェムトノードと通信する潜在的デバイスにおける第１のパスロスを判定させるためのコードと、少なくとも１つのコンピュータに、フェムトノードに対する潜在的デバイスにおける第２のパスロスを判定させるためのコードとを有するコンピュータ可読媒体を含む、フェムトノードと通信するデバイスとマクロセル基地局と通信するデバイスとの間のアップリンク干渉を管理するためのコンピュータプログラム製品が提供される。コンピュータ可読媒体は、少なくとも１つのコンピュータに、第１のパスロスと第２のパスロスとの間の差、およびマクロセル基地局における最大干渉レベルに少なくとも部分的に基づいて、フェムトノードのためのＲｏＴしきい値を生成させるためのコードをさらに含む。
【００１３】
さらに一態様では、マクロセル基地局に対するフェムトノードと通信する潜在的デバイスにおける第１のパスロスを判定し、フェムトノードに対する潜在的デバイスにおける第２のパスロスを判定するためのデバイスパスロス判定構成要素を含む、フェムトノードと通信するデバイスとマクロセル基地局と通信するデバイスとの間のアップリンク干渉を管理するための装置が提供される。本装置は、第１のパスロスと第２のパスロスとの間の差、およびマクロセル基地局における最大干渉レベルに少なくとも部分的に基づいて、フェムトノードのためのＲｏＴしきい値を生成するためのＲｏＴしきい値計算構成要素をさらに含む。
【００１４】
上記および関連する目的を達成するために、１つまたは複数の態様は、以下で十分に説明し、特に特許請求の範囲で指摘する特徴を備える。以下の説明および添付の図面に、１つまたは複数の態様のうちのいくつかの例示的な特徴を詳細に記載する。ただし、これらの特徴は、様々な態様の原理を採用することができる様々な方法のうちのほんのいくつかを示すものであり、この説明は、すべてのそのような態様およびそれらの均等物を含むものとする。
【００１５】
添付の図面とともに以下に説明する開示する態様は、開示する態様を限定するためではなく、開示する態様を例示するために与えられ、同様の符号は同様の要素を示す。
【図面の簡単な説明】
【００１６】
【図１】ライズオーバサーマル（ＲｏＴ）しきい値を適合的に構成するためのシステムの一態様のブロック図。
【図２】ＲｏＴしきい値を計算するためのシステムの一態様のブロック図。
【図３】フェムトノードのためのＲｏＴしきい値を生成するための方法の一態様のフローチャート。
【図４】逆方向リンクの減衰レベルに基づいてＲｏＴしきい値を生成するための方法の一態様のフローチャート。
【図５】本明細書で説明する態様によるシステムのブロック図。
【図６】ＲｏＴしきい値を生成するためのシステムの一態様のブロック図。
【図７】本明細書に記載する様々な態様による、ワイヤレス通信システムの一態様のブロック図。
【図８】本明細書で説明する様々なシステムおよび方法とともに採用され得るワイヤレスネットワーク環境の一態様の概略ブロック図。
【図９】本明細書の態様が実装され得る、いくつかのデバイスをサポートするように構成された例示的なワイヤレス通信システムを示す図。
【図１０】ネットワーク環境内でフェムトセルの展開を可能にするための例示的な通信システムの図。
【図１１】いくつかの定義された追跡エリアを有するカバレージマップの例を示す図。
【発明を実施するための形態】
【００１７】
ここで、図面を参照しながら様々な態様について説明する。以下の説明では、説明のために、１つまたは複数の態様の完全な理解を与えるために多数の具体的な詳細を記載する。ただし、そのような（１つまたは複数の）態様は、これらの具体的な詳細なしに実施できることは明らかであろう。
【００１８】
本明細書では、適合的に低電力基地局のためのライズオーバサーマル（ＲｏＴ）しきい値を構成することに関連した様々な事柄をさらに説明する。低電力基地局は、本明細書ではフェムトノード、ピコノード、ミクロノードまたは類似の基地局と呼ぶことができるが、本明細書で説明する態様は、実質的にどんな低電力基地局にも適用可能であることを諒解されたい。たとえば、フェムトノードは、別の基地局への過度の干渉を起こすことなく、デバイスの処理能力を改善するための適切なＲｏＴしきい値を判定することができる。たとえば、フェムトノードは、デバイスが他の基地局における最大干渉レベルを超えないようにするＲｏＴしきい値を計算することができる。これは、フェムトノードのカバレージエリア、およびフェムトノードから他の基地局への測定されたパスロスに少なくとも部分的に基づいて、他の基地局における雑音フロアを超えないための潜在的な最悪のデバイスのためのＲｏＴを計算することを含み得る。別の例では、ＲｏＴは同様に、ある時間期間にわたる実際のデバイス測定報告に基づいてフェムトノードと他の基地局との間のパスロスの差を判定することに部分的に基づいて計算され得る。いずれの場合も、ＲｏＴしきい値は、潜在的に１つまたは複数の他の基地局に生じる干渉を考慮しながら、デバイス通信を改善するために設定することができる。
【００１９】
本出願で使用する「構成要素」、「モジュール」、「システム」などの用語は、限定はしないが、ハードウェア、ファームウェア、ハードウェアとソフトウェアの組合せ、ソフトウェア、または実行中のソフトウェアなど、コンピュータ関連のエンティティを含むものとする。たとえば、構成要素は、プロセッサ上で実行されるプロセス、プロセッサ、オブジェクト、実行可能ファイル、実行スレッド、プログラム、および／またはコンピュータとすることができるが、これらに限定されない。例として、コンピューティングデバイス上で実行されるアプリケーションと、そのコンピューティングデバイスの両方を構成要素とすることができる。１つまたは複数の構成要素がプロセスおよび／または実行スレッド内に常駐することができ、１つの構成要素を１つのコンピュータ上に配置してもよいし、かつ／または２つ以上のコンピュータ間に分散してもよい。さらに、これらの構成要素は、様々なデータ構造を記憶している様々なコンピュータ可読媒体から実行することができる。これらの構成要素は、信号を介して、ローカルシステム、分散システム内の別の構成要素と相互作用しかつ／あるいはインターネットなどのネットワーク上で他のシステムと相互作用する１つの構成要素からのデータのような、１つまたは複数のデータパケットを有する信号に従うことなどによって、ローカルプロセスおよび／またはリモートプロセスを介して通信し得る。
【００２０】
さらに、本明細書では、ワイヤード端末またはワイヤレス端末とすることができる端末に関する様々な態様について説明する。端末は、システム、デバイス、加入者ユニット、加入者局、移動局、モバイル、モバイルデバイス、リモート局、リモート端末、アクセス端末、ユーザ端末、端末、通信デバイス、ユーザエージェント、ユーザデバイス、またはユーザ機器（ＵＥ）と呼ばれることもある。ワイヤレス端末は、セルラー電話、衛星電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、タブレット、スマートブック、ネットブックまたはワイヤレスモデムに接続された他の処理デバイスとすることができる。さらに、本明細書では基地局に関する様々な態様について説明する。基地局は、（１つまたは複数の）ワイヤレス端末と通信するために利用され得、アクセスポイント、ノードＢ、発展型ノードＢ（ｅＮＢ）、または何らかの他の用語で呼ばれることもある。
【００２１】
さらに、「または」という用語は、排他的な「または」ではなく、包括的な「または」を意味するものとする。すなわち、別段の規定がない限り、または文脈から明白でない限り、「ＸはＡまたはＢを使用する」という句は、自然な包括的置換のいずれかを意味するものとする。つまり、語句「ＸはＡまたはＢを使用する」は、以下の場合、すなわち、ＸがＡを使用する場合、ＸがＢを使用する場合、またはＸがＡとＢの両方を使用する場合のうちのいずれかによって満足される。その上、本出願と添付の特許請求の範囲とで使用されるとき、冠詞「ａ」と「ａｎ」とは、別段指定されない限り、または単数形を対象とすべきであると文脈から明らかでない限り、通常、「１つまたは複数」を意味すると解釈されるべきである。
【００２２】
本明細書で説明する技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用され得る。「システム」および「ネットワーク」という用語は、しばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装することができる。ＵＴＲＡは、Ｗｉｄｅｂａｎｄ−ＣＤＭＡ（Ｗ−ＣＤＭＡ）およびＣＤＭＡの他の変形態を含む。さらに、ｃｄｍａ２０００は、ＩＳ−２０００、ＩＳ−９５およびＩＳ−８５６規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装することができる。ＯＦＤＭＡシステムは、Ｅｖｏｌｖｅｄ  ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）は、ダウンリンク上ではＯＦＤＭＡを採用しアップリンク上ではＳＣ−ＦＤＭＡを採用するＥ−ＵＴＲＡを使用するＵＭＴＳのリリースである。ＵＴＲＡ、Ｅ−ＵＴＲＡ、ＵＭＴＳ、ＬＴＥ、ＬＴＥ−アドバンスド、およびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する組織からの文書に記載されている。さらに、ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する組織からの文書に記載されている。さらに、そのようなワイヤレス通信システムは、不対無資格スペクトル、８０２．ｘｘワイヤレスＬＡＮ、ＢＬＵＥＴＯＯＴＨ（登録商標）および任意の他の短距離または長距離ワイヤレス通信技法をしばしば使用するピアツーピア（たとえば、モバイルツーモバイル）アドホックネットワークシステムをさらに含み得る。
【００２３】
様々な態様または特徴は、いくつかのデバイス、構成要素、モジュールなどを含むことができるシステムに関して提示される。様々なシステムは、追加のデバイス、構成要素、モジュールなどを含んでもよく、および／または各図に関連して論じるデバイス、構成要素、モジュールなどのすべてを含まなくてもよいことを理解および諒解されたい。これらの手法の組合せを使用することもできる。
【００２４】
図１は、１つまたは複数の基地局に対する干渉を緩和するようにＲｏＴしきい値を構成するための例示的システム１００を示す。システム１００は、第１の電力クラスのマクロセル基地局または同様の基地局（たとえばｅＮＢ）であり得る基地局１０２と、第１の電力クラスよりも低い第２の電力クラスのフェムトノード、ピコノード、ミクロノードなどの低電力基地局であり得る基地局１０４とを含む異機種が配備されたワイヤレスネットワークであり得る。ネットワークは、基地局１０２および／または１０４と通信するデバイス１０６をさらに含み得る。デバイス１０６は、ＵＥ、モデム（または他のテザーデバイス）、それらの一部分などであり得る。さらに、基地局１０２および基地局１０４は各々、マクロノード、フェムトノード、ピコノード、ミクロノードまたは同様の基地局、モバイル基地局、中継局、（たとえば、ピアツーピアまたはアドホック方式でデバイス１０６と通信する）デバイス、それらの一部分などであり得る。
【００２５】
デバイス１０６は、ワイヤレスネットワークへのアクセスを受信するために基地局１０４と通信することができる。たとえば、デバイス１０６は基地局１０４と通信することができるが、基地局１０２の信号強度は基地局１０４のものよりも高くてもよい、および／または基地局１０２に対するパスロスはより少なくてもよい。この例では、基地局１０４は、追加サービス、増加した帯域幅などの追加インセンティブをデバイス１０６に与えるフェムトノードであり得る。デバイス１０６が基地局１０４と通信できるようにするために、基地局１０４は、基地局１０２からの起こり得る干渉に対してデバイス１０６からの通信を受信することを可能にするＲｏＴしきい値を使用して動作することができる。本明細書では、基地局１０２への過度な干渉を起こすことなくデバイス１０６の通信を改善するように、適合的に基地局１０４でＲｏＴしきい値を設定するためのメカニズムについて説明する。
【００２６】
一例によれば、基地局１０４は、基地局１０２で許される最大干渉レベルに部分的に基づいてＲｏＴしきい値を構成することができる。これは雑音フロアに対応し得、基地局１０２または他のネットワーク構成要素から受信され得、基地局１０４などに基づいて推定され得る。さらに、基地局１０４は、デバイス１０６および／または基地局１０４と通信する潜在的な最悪のデバイスなどの１つまたは複数のデバイスのうちの基地局１０２に対するパスロス１０８などのパスロスを判定することができる。一例では、最悪のデバイスは基地局１０４のセルエッジで通信することができるので、基地局１０４は、パスロスに適用された基地局１０４のカバレージエリアとともに、基地局１０４から基地局１０２への測定されたパスロス１１０として、潜在的な最悪のデバイスのパスロスを計算することができる。
【００２７】
別の例では、基地局１０４は、ある時間期間にわたってデバイス１０６および／または１つまたは複数の他のデバイスから測定報告を取得することができ、報告された基地局１０４に対するパスロスと報告された基地局１０２に対するパスロス１０８との間のパスロスの差を計算することができる。たとえば、基地局１０４は最少の報告された差、少なくとも一部の差の平均などをパスロス測定で利用して、基地局１０４のためのＲｏＴしきい値を判定し、基地局１０２に対する干渉を緩和することができる。
【００２８】
さらに別の例では、基地局１０４は逆方向リンク減衰を実施して、しきい値を上回るセル外干渉が検出されるより高いＲｏＴしきい値に対する必要性を減らすことができる。これにより、デバイス１０６および／または基地局１０４と通信する他のデバイスが、必要とされるよりも高い送信電力で送信を行うことを防止することができる。たとえば、基地局１０４のカバレージエリア内にありながら基地局１０２と通信するデバイスは、基地局１０４における熱雑音の上昇を引き起こす場合があり、基地局１０４におけるＲｏＴがしきい値を上回るようにしてしまう場合がある。たとえば、基地局１０４は、デバイスが基地局１０４（たとえば、非メンバーデバイスと呼ばれる）へのアクセスを許可されないように制限付きアソシエーションを実施することができる。したがって、基地局１０２と通信するこれらのデバイスは基地局１０４へのハンドオーバを実行することができず、基地局１０４およびそれと通信するデバイス（たとえば、デバイス１０６）に対する実質的な干渉を引き起こし得る。いったんＲｏＴが基地局１０４におけるＲｏＴしきい値を上回ると、デバイス１０６などの基地局１０４と通信するデバイスは、電力および／またはデータレートを減少させてＲｏＴを減少させることを助けることがあり、これはこの場合望ましくない可能性がある。逆方向リンク減衰を適用することによって、基地局１０４は非メンバーデバイスによって起こされる干渉に対する感度を低下させることができる。これはまた、ＲｏＴを低下させることにつながり、基地局１０４と通信するデバイスが低下したＲｏＴとＲｏＴしきい値との間の付加された空間を考慮して伝送レート／電力を高め、干渉を克服できるようにする。
【００２９】
一例では、逆方向リンク減衰を適合的ＲｏＴしきい値とともに使用することができる。たとえば、基地局１０４は一度ＲｏＴしきい値を判定すると、そのＲｏＴしきい値を逆方向リンクのための最大許容減衰レベルにマッピングすることができる。この例では、基地局１０４は逆方向リンク減衰を適用すると判定する場合、以前のＲｏＴしきい値と最大減衰レベルとの間の差に部分的に基づいて適合されたＲｏＴしきい値を計算することができる。
【００３０】
図２は、１つまたは複数の基地局との干渉を緩和するようにＲｏＴしきい値を構成するための例示的装置２００を示す。装置２００は、説明したように、１つまたは複数のデバイスへのネットワークアクセスを提供するフェムトノードまたは他の低電力基地局などの基地局であり得る。
【００３１】
装置２００は、マクロセル基地局に関連する最大干渉レベルを取得またはそれ以外に判定するための任意の最大干渉判定構成要素２０２と、マクロセル基地局に対するパスロスを取得またはそれ以外に推定するためのデバイスパスロス判定構成要素２０４と、パスロスのＲｏＴしきい値関数２１０に少なくとも部分的に基づいてＲｏＴしきい値２０８を判定するためのＲｏＴしきい値計算構成要素２０６と、（たとえば、デバイスにＲｏＴしきい値を上回ることを通知すること、およびデバイスに電力切断コマンドを出すことなどによって）ＲｏＴしきい値を上回らない装置２００との通信を保証するためのＲｏＴしきい値実行構成要素２１２とを備え得る。装置２００は任意で、１つまたは複数のデバイスから１つまたは複数の測定報告２１６を取得するための測定報告受信構成要素２１４と、減衰レベル２２０に従って、逆方向リンクで受信された信号を減衰させて検出されたセル外干渉に対する感度を低下させるための逆方向リンク（ＲＬ）減衰構成要素２１８とを備え得る。
【００３２】
一例によれば、最大干渉判定構成要素２０２は、マクロセル基地局における最大干渉レベルの表示を取得することができる。たとえば、雑音フロアパラメータはマクロセル基地局から、ワイヤレスネットワーク構成要素から、マクロセル基地局と通信するデバイスから、および／またはその他から受信され得る。別の実施例では、最大干渉判定構成要素２０２は、装置２００の雑音フロアに基づいて、マクロセル基地局の雑音フロアを判定することができる。一例では、これは、装置２００の雑音フロアから１つまたは複数の構成可能な値またはそれ以外に受信された値を引くことによって、雑音フロアを計算することを含み得る。いずれの場合も、最大干渉判定構成要素２０２は、雑音フロアパラメータをＲｏＴしきい値計算構成要素２０６に与えることができる。さらに別の例では、ＲｏＴしきい値計算構成要素２０６は、ＲｏＴしきい値を計算するための最大干渉レベルを仮定することができるか、またはそれ以外にその最大干渉レベルでハードコーディングされ得る。
【００３３】
さらに、たとえば、デバイスパスロス判定構成要素２０４は、マクロセル基地局に対する１つまたは複数の実際のデバイス、潜在的な最悪のデバイス、および／またはその他のパスロスを取得することができる。一例では、デバイスパスロス判定構成要素２０４は、マクロセル基地局に対する装置２００のパスロスを測定することができ、装置２００のカバレージエリアによって測定されたパスロスを変更して、マクロセル基地局に対するカバレージエリアのエッジにおける最悪デバイスのパスロスをエミュレートすることができる。たとえば、これは、マクロセル基地局から受信されたパイロット信号に基づいてパスロスを測定することを含み得る。
【００３４】
別の例では、測定報告受信構成要素２１４は、（たとえば、フェムトノードまたはその他によって送信された測定要求に応じて、ハンドオーバプロシージャの一部として）１つまたは複数のデバイスから測定報告２１６を取得することができ、１つまたは複数の測定報告２１６の中で報告された、マクロセル基地局に対するパスロス測定値と装置２００に対するパスロス測定値との間の差を計算することができる。この例では、デバイスパスロス判定構成要素２０４は、計算された差（たとえば、最低の差、平均の差、少なくとも部分集合に部分的に基づいた５％などの百分率の差など）のうちの１つまたは複数に基づいてパスロスを取得することができる。いずれの場合も、デバイスパスロス判定構成要素２０４は、パスロスをＲｏＴしきい値計算構成要素２０６に与えることができる。
【００３５】
この点について、ＲｏＴしきい値計算構成要素２０６は、パスロスおよび／または最大干渉レベルを取得することができ、ＲｏＴしきい値２０８をパラメータに基づいて計算することができる。たとえば、パラメータを、結果として生じるＲｏＴしきい値２０８を作り出すためにＲｏＴしきい値関数２１０に与えることができる。ＲｏＴしきい値関数２１０は、最大干渉レベルに基づいて、１つまたは複数のマクロセル基地局への干渉を緩和しながら、装置２００とのデバイス通信を改善するように、ＲｏＴしきい値２０８を計算することができる。ＲｏＴしきい値計算構成要素２０６は、ＲｏＴしきい値をＲｏＴしきい値実行構成要素２１２に与えることができ、ＲｏＴしきい値実行構成要素２１２は、少なくとも部分的にはＲｏＴしきい値に対するＲｏＴレベルの表示を与えること、直接アップリンクデータレートを下げるための１つまたは複数のデバイスへのコマンド、または結果的にデバイスがアップリンクデータレートおよび電力を下げることになる他のコマンドを通信すること、および／またはその他の方法によって、ＲｏＴしきい値が上回らないことを保証しようとすることができる。
【００３６】
たとえば、Ｐと表すデバイスのＲＬ送信パイロット電力は、通信を可能にするパイロット信号品質（Ｅｃｐ／Ｉｏf）、およびフェムトセルに存在するＲｏＴの量（Ｉｏf／Ｎｏf）の関数であり得る。ＩｏおよびＮｏはそれぞれ、総受信信号強度インジケータ（ＲＳＳＩ）および雑音フロアを表し得る。下付き文字ｆは、これらの測定値がフェムトノードで取得されていることを表す。
【数１】
0005607256.tif 000002
【数２】
0005607256.tif 000003
【００３７】
ＰＬfは、デバイスからサービングフェムトノードであり得る装置２００へのパスロスである。説明したように、ＲｏＴしきい値計算構成要素２０６は、装置２００と通信するデバイスのためのパイロット信号から受信される受信干渉を、マクロセル基地局の雑音フロアを下回る一定のレベル（たとえば、２０デシベル（ｄＢ）など）になるように制限するように、ＲｏＴしきい値２０８を計算することができる。したがって、たとえば、ＲｏＴしきい値２０８は、最大干渉判定構成要素２０２によって判定される、またはそれ以外にワイヤレスネットワークの中の１つまたは複数のハードコーディングされたもしくは構成されたパラメータとして設定される少なくともマクロセル基地局の雑音フロアの関数Ｎｏmであり得る。この点について、装置２００と通信する多数のデバイスの存在下でも、マクロセル基地局に対して起きる凝集干渉は比較的低いものであり得る。たとえば、この制約は以下に示すようなものであり得、式中ＰＬmは、デバイスから、最も近いマクロセル基地局へのパスロスである。
【数３】
0005607256.tif 000004
【００３８】
Ｐに代入すると、この制約は以下のように書き換えることができる。
【数４】
0005607256.tif 000005
【００３９】
項を再編成すると、装置２００（この説明の中ではフェムトノードとも呼ばれる）のＲｏＴは以下の式よりも小さくなり得る。
【数５】
0005607256.tif 000006
【００４０】
ＲｏＴしきい値関数２１０は、一例として、ＲｏＴしきい値２０８を計算するためにこの公式または同様の公式を利用することができ、ここで２０ｄＢはマクロセル基地局での雑音フロアを下回る所望の制限された干渉であり、デバイス通信の改善と、マクロセル基地局における雑音フロアの超過の場合とのバランスに基づいて調整することができる。
【００４１】
さらに、具体的な例では、デバイスパスロス判定構成要素２０４はデバイス（たとえば、最悪のデバイス）からマクロセル基地局へのＰＬmを推定することができ、ＰＬmは、一例では、ネットワークリスニングモジュール（ＮＬＭ）、またはＥｃmによって表すワイヤレスネットワークの中で信号を受信するためのデバイスパスロス判定構成要素２０４に関連した同様のモジュールから、マクロセル基地局の測定値を使用して取得することができる。これらは、一例では、マクロセル基地局から受信されるパイロット信号であり得る。別の例では、説明したように、デバイスパスロス判定構成要素２０４はその他の場合、測定報告２１６に少なくとも部分的に基づいてＰＬmをデバイスから受信することができる。また、たとえば、デバイスパスロス測定値と装置２００からの測定値との間のより悪い場合のＲＦミスマッチを考慮するために、ＰＬmをデバイスパスロス判定構成要素２０４の推定値より１０ｄＢ少ないと仮定することができる。たとえば、１０ｄＢのミスマッチも装置２００のカバレージエリアに関連付けることができる。マクロセル基地局の送信電力は、４３ｄＢであり得る。したがって、ＲｏＴしきい値計算構成要素２０６は、一例では、ＲｏＴしきい値２０８を計算するためのＲｏＴしきい値関数２１０において、以下の公式または同様の公式を利用することができる。
【数６】
0005607256.tif 000007
【数７】
0005607256.tif 000008
【００４２】
さらなる具体例では、フェムトノード（たとえば装置２００）の雑音フロアが、（たとえば、設計の複雑度を減らすために）マクロセル基地局の雑音フロアよりも９ｄＢ高いと仮定することができる。さらに、潜在的な最悪のデバイスが、（たとえば９０ｄＢを上回ると仮定して）フェムトノードのセルエッジに配置されていると仮定することができる。すべてのデバイスがエッジに配置され得るとは限らず、したがって他のデバイスからの影響は潜在的な最悪のデバイスと同じ程度でなくてもよいことに留意されたい。次いで、所望のカバレージの大部分がフェムトノードから８５ｄＢ以内であることを保証するために、フェムトノードの位置および電力レベルが選択され得る。フェムトノードでの二重受信ダイバーシティによって、デバイスは所要のＥｃｐ／Ｉｏfにほぼ等しい約２３ｄＢのＥｃｐ／Ｎｔ（パイロットチップエネルギー対干渉比）を維持することができる。これらを方程式に代入して、ＲｏＴしきい値計算構成要素２０６は代替的に、ＲｏＴしきい値２０８を計算するためのＲｏＴしきい値関数２１０において以下のものに類似した公式を使用することができる。
【数８】
0005607256.tif 000009
【００４３】
したがって、この例では、デバイスパスロス判定構成要素２０４はマクロセル基地局からのパイロット信号の測定値を判定することができ、実際の雑音フロア情報は必要ではない（たとえば、この情報は説明したように仮定される）。さらに、いずれの場合も、ＲｏＴしきい値計算構成要素２０６は、ＲｏＴしきい値２０８に絶対最小値（たとえば５ｄＢなど）および／または絶対最大値（たとえば４０ｄＢなど）を課すことができる。
【００４４】
さらに別の例では、ＲＬ減衰構成要素２１８は、減衰レベル２２０を入来信号に適用して、そこでの干渉に対する感度を低下させることができ、ＲｏＴしきい値計算構成要素２０６はさらに、減衰レベル２２０に基づいて装置２００のためのＲｏＴしきい値２０８を生成することができる。マクロセル基地局と通信する１つまたは複数のデバイスからのセル外干渉がしきい値を上回ることを検出すると、ＲＬ減衰構成要素２１８は、減衰レベル２２０を適用して干渉の影響を少なくすることを開始できる。たとえば、減衰レベル２２０は、許容される減衰の最大レベルおよびセル外干渉のレベルに応じて、ステップサイズ（たとえば５ｄＢなど）に従ってステップアップまたはステップダウンすることができる。一例では、ＲＬ減衰構成要素２１８は、現在のセル外干渉レベルに基づいて、動的に減衰レベル２２０をステップアップまたはステップダウンすることができる。たとえば、大規模なバースト性干渉の存在下では、ＲＬ減衰構成要素２１８は減衰レベル２２０を第１のバーストに適用し、このレベルは第２のバーストが到着するときに大部分保持され得る。この点について、第２のバーストは、ＲｏＴの大幅な増加を引き起こさなくてもよい。
【００４５】
したがって、デバイスはすでに送信電力を減衰レベル２２０に適合させているので、ＲＬ減衰を使用することにより改善されたＲｏＴ制御を与えることができ、デバイスの信号対干渉および雑音比（ＳＩＮＲ）レベルの中の変動を制限することができる。一方、一定の時間間隔の中で減衰レベル２２０のステップアップおよびステップダウンが生じ得るので、デバイスは一定の持続時間について、より高い電力レベルで送信してもよい。一例では、適合的ＲＬ減衰を、上述の適合的ＲｏＴしきい値とともに使用することができる。たとえば、ＲｏＴしきい値計算構成要素２０６はＲｏＴしきい値２０８を計算すると、ＲｏＴしきい値２０８を最大許容減衰レベル２２０にマッピングすることができる。たとえば、
【数９】
0005607256.tif 000010
【００４６】
となり、式中上述のステップサイズは５ｄＢである。次いで、ＲｏＴしきい値計算構成要素２０６は、元のしきい値と最大の計算された減衰レベルとの間の差として減衰を実施するようにＲｏＴしきい値を調整することができる。これは有効なＲｏＴしきい値を２０ｄＢ内に制限し得るが、パラメータは、異なる最大ＲｏＴしきい値を生じるために変更され得ることを諒解されたい。
【００４７】
図３〜４は、ＲｏＴしきい値を計算することに関する例示的な方法を示す。説明を簡単にするために、方法を一連の行為として図示し説明するが、いくつかの行為は、１つまたは複数の実施形態によれば、他の行為と同時に、および／または本明細書で図示し説明する順序とは異なる順序で行われ得るので、方法は行為の順序によって限定されないことを理解および諒解されたい。たとえば、方法は、状態図など、一連の相互に関係する状態またはイベントとして代替的に表現され得ることを諒解されたい。さらに、１つまたは複数の実施形態による方法を実施するために、図示のすべての行為が必要とされるとは限らない。
【００４８】
図３は、ＲｏＴしきい値を生成するための例示的な方法３００を示す。３０２で、マクロセル基地局に対して、フェムトノードと通信する潜在的デバイスにおけるパスロスを判定することができる。このパスロスは、フェムトノードから適用されたカバレージエリアまたはＲＦミスマッチ値を備えたマクロセル基地局への測定されたパスロスに基づいて、判定することができる。別の例では、このパスロスは、１つまたは複数のパスロス、または１つまたは複数の実際のデバイスから受信される測定報告で報告されるようなフェムトノードとマクロセル基地局との間のパスロス差に基づいて（たとえば、最低パスロス差、平均パスロスなどに基づいて）判定することができる。
【００４９】
３０４で、フェムトノードに対する第２のパスロスを潜在的デバイスで判定することができる。たとえば、これは、最悪のデバイスのためのＲＦミスマッチを仮定する中でフェムトノードのカバレージエリアを判定すること、そうでない場合１つまたは複数の実際のデバイスからパスロス測定値を受信すること、および／またはその他を含むことができる。
【００５０】
３０６で、このパスロスと第２のパスロスとの間の差、および／またはマクロセル基地局における最大干渉レベルに少なくとも部分的に基づいて、フェムトノードのためのＲｏＴしきい値を生成することができる。一例では、これは、マクロセル基地局への干渉を緩和しながらデバイス通信を改善するようにＲｏＴしきい値を生成することを含むことができる。説明したように、ＲｏＴしきい値はパスロスおよび／または最大干渉レベルの関数として計算することができる。さらに、ＲｏＴしきい値は、フェムトノードにおける絶対最大ＲｏＴしきい値または絶対最小ＲｏＴしきい値に基づいて計算することができる。さらに、ＲｏＴしきい値は、ＲｏＴしきい値に対するＲｏＴの表示を通じて実施することができ、このＲｏＴしきい値に対するＲｏＴに基づいて電力または伝送レートを調整するためのコマンドを通信する。
【００５１】
図４は、ＲｏＴしきい値を生成するための例示的な方法４００を示す。４０２で、フェムトノードのためにＲｏＴしきい値を生成することができる。説明したように、これは、フェムトノードとマクロセル基地局との間のパスロス差、マクロセル基地局の最大干渉レベル、および／またはその他に基づき得る。４０４で、ＲｏＴしきい値を最大ＲＬ減衰レベルにマッピングすることができる。たとえば、これは、ＲｏＴしきい値に基づいて最大許容ＲＬ減衰レベルを計算するための公式（たとえば、
【数１０】
0005607256.tif 000011
【００５２】
など）に基づき得る。
【００５３】
４０６で、新しいＲｏＴしきい値は、ＲｏＴしきい値と最大ＲＬ減衰レベルとの間の差として生成され得る。４０８で、ＲＬ減衰は受信された信号に適用され得る。たとえば、ＲＬ減衰は、干渉に対する感度を低下させるために、マクロセル基地局と通信するデバイスから受信された信号に適用され得る。これは、減衰を通して受信されたエネルギーのレベルを低下させ、したがってＲｏＴを低下させることを含むことができ、これによってフェムトノードと通信するデバイスは、ＲｏＴしきい値を上回らなければ伝送レートを高めることができる。
【００５４】
本明細書で説明する１つまたは複数の態様によれば、説明したように、パスロス、最大干渉レベル、減衰レベルおよび／またはＲｏＴしきい値などを判定するための他のパラメータを判定することに関する推論が行われ得ることが諒解されよう。本明細書で使用する「推論する」または「推論」という用語は、概して、事象および／またはデータを介して捕捉された観察のセットから、システム、環境、および／またはユーザの状態について推理する、またはその状態を推論するプロセスを指す。推論は、特定のコンテキストまたはアクションを識別するために採用でき、あるいは、たとえば、状態の確率分布を生成することができる。推論は、確率的、すなわち、データおよび事象の考察に基づいて当該の状態の確率分布を計算したものとすることができる。推論は、事象および／またはデータのセットからより高いレベルの事象を構成するために採用される技法を指すこともある。そのような推論から、イベントが時間的に緊切して相関するか否かにかかわらず、ならびにイベントおよびデータが１つまたは複数のイベントおよびデータの発生源に由来するかどうかにかかわらず、観測されたイベントおよび／または記憶されたイベントデータのセットから新しいイベントまたはアクションが構成される。
【００５５】
図５は、適合的にＲｏＴしきい値を構成することを容易にするシステム５００の図である。システム５００は（たとえば、説明したように、複数のネットワーク技術であり得る）複数の受信アンテナ５０６を介して１つまたは複数のモバイルデバイス５０４から（１つまたは複数の）信号を受信する受信機５１０と、（たとえば、説明したように、複数のネットワーク技術であり得る）複数の送信アンテナ５０８を介して１つまたは複数のモバイルデバイス５０４に送信する送信機５３２とを有する基地局５０２を含む。受信機５１０は、１つまたは複数の受信アンテナ５０６から情報を受信することができ、受信された情報を復調する復調器５１２と動作可能に結合される。別個のアンテナとして示しているが、受信アンテナ５０６のうちの少なくとも１つと、送信アンテナ５０８のうちの対応する１つとは同じアンテナとして組み合わせることができることを諒解されたい。本明細書で説明する１つまたは複数の態様を実行することに関連する情報を記憶するメモリ５１６に結合されたプロセッサ５１４によって、復調されたシンボルが分析される。
【００５６】
たとえば、プロセッサ５１４は、受信機５１０によって受信された情報の分析専用のおよび／または送信機５３２による送信のための情報の生成専用のプロセッサ、基地局５０２の１つまたは複数の構成要素またはモジュールを制御するプロセッサ、ならびに／あるいは受信機５１０によって受信された情報を分析し、送信機５３２による送信のための情報を生成し、基地局５０２の１つあるいは複数の構成要素またはモジュールを制御するプロセッサであり得る。さらに、プロセッサ５１４は、本明細書で説明する１つまたは複数の機能を実行することができ、かつ／またはそのような目的のために構成要素またはモジュールと通信することができる。
【００５７】
説明したように、メモリ５１６は、プロセッサ５１４に動作可能に結合され、送信されるべきデータ、受信されたデータ、利用可能なチャネルに関連する情報、分析された信号および／または干渉の強度と関連付けられたデータ、割り当てられたチャネル、電力、速度などに関連する情報、ならびに、チャネルを推定しチャネルを介して通信するための任意の他の適切な情報を記憶することができる。メモリ５１６はさらに、ＲｏＴしきい値を生成することなどの本明細書で説明する態様に関連したプロトコル、プロセッサ５１４による実行のための命令、アルゴリズムなどを記憶することができる。
【００５８】
本明細書で説明するデータストア（たとえばメモリ５１６）は、揮発性メモリもしくは不揮発性メモリであり得、または揮発性メモリと不揮発性メモリの両方を含むことができることが諒解されよう。限定ではなく例として、不揮発性メモリは、読取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、またはフラッシュメモリを含むことができる。揮発性メモリは、外部キャッシュメモリとして動作するランダムアクセスメモリ（ＲＡＭ）を含み得る。限定ではなく例として、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、シンクリンクＤＲＡＭ（ＳＬＤＲＡＭ）、およびダイレクトランバスＲＡＭ（ＤＲＲＡＭ（登録商標））など、多くの形態で利用可能である。主題のシステムおよび方法のメモリ５１６は、これらおよび任意の他の適切なタイプのメモリを、それらに限定されることなく、備えるものとする。
【００５９】
プロセッサ５１４は、さらに、随意に、最大干渉判定構成要素２０２と同様であり得る最大干渉判定構成要素５１８、デバイスパスロス判定構成要素２０４と同様であり得るデバイスパスロス判定構成要素５２０、ＲｏＴしきい値計算構成要素２０６と同様であり得るＲｏＴしきい値計算構成要素５２２、ＲｏＴしきい値実行構成要素２１２と同様であり得るＲｏＴしきい値実行構成要素５２４、測定報告受信構成要素２１４と同様であり得る測定報告受信構成要素５２６、ならびに／あるいはＲＬ減衰構成要素２１８と同様であり得るＲＬ減衰構成要素５２８に結合される。
【００６０】
その上、たとえば、プロセッサ５１４は、変調器５３０を使用して送信されるべき信号を変調し、送信機５３２を使用して被変調信号を送信することができる。送信機５３２は、Ｔｘアンテナ５０８上で信号をモバイルデバイス５０４に送信することができる。さらに、基地局５０２は、バックホールインターフェースを介して１つまたは複数のｅＮＢ５３６と通信するためのバックホール通信構成要素５３４を含むことができる。たとえば、バックホール通信構成要素５３４は、１つまたは複数のバックホールインターフェース（たとえば、ＬＴＥにおけるＸ２インターフェース）を使用して、ワイヤードまたはワイヤレスのバックホールリンクを介してｅＮＢ５３６と通信することができる。たとえば、バックホールリンクがワイヤレスである場合、基地局５０２はＲｘアンテナ５０６と受信機５１０を利用して、ｅＮＢ５３６から通信を受信することができ、かつ／またはＴｘアンテナ５０８と送信機５３２を利用して、信号をｅＮＢ５３６に通信することができることを諒解されたい。
【００６１】
さらに、プロセッサ５１４とは別個のものとして図示されているが、最大干渉判定構成要素５１８、デバイスパスロス判定構成要素５２０、ＲｏＴしきい値計算構成要素５２２、ＲｏＴしきい値実行構成要素５２４、測定報告受信構成要素５２６、ＲＬ減衰構成要素５２８、バックホール通信構成要素５３４、復調器５１２、および／または変調器５３０は、プロセッサ５１４または複数のプロセッサ（図示せず）の一部とすることができ、および／またはプロセッサ５１４が実行するための命令としてメモリ５１６中に格納され得ることを諒解されたい。
【００６２】
図６は、ＲｏＴしきい値を生成するためのシステム６００を示す。たとえば、システム６００は、少なくとも部分的にフェムトノードまたは他の基地局内に常駐することができる。システム６００は機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。システム６００は、連携して動作することができる電気構成要素の論理グルーピング６０２を含む。たとえば、論理グルーピング６０２は、マクロセル基地局に対するフェムトノードと通信する潜在的デバイスにおける第１のパスロス、およびフェムトノード６０４に対する潜在的デバイスにおける第２のパスロスを判定するための電気構成要素を含むことができる。説明したように、第１のパスロスは、（たとえば、図示していないＮＭＬを使用して）システム６００からの測定されたマクロセルに対するパスロスに基づいて、１つまたは複数のデバイスから受信された測定報告に基づいて、および／またはその他に基づいて判定され得、第２のパスロスは、フェムトノードのカバレージエリア、１つまたは複数のデバイスからの測定報告などに基づいて判定され得る。
【００６３】
さらに、論理グルーピング６０２は、第１のパスロスと第２のパスロスとの間の差、および／またはマクロセル基地局６０６における最大干渉レベルに少なくとも部分的に基づいて、フェムトノードのためのＲｏＴしきい値を生成するための電気構成要素を備えることができる。たとえば、ＲｏＴしきい値は、マクロセル基地局への干渉を緩和しながらデバイス通信を改善するように設定することができる。たとえば、電気構成要素６０４は、上記で説明したように、デバイスパスロス判定構成要素２０４を含むことができる。さらに、たとえば、上記で説明したように、電気構成要素６０６は、一態様では、ＲｏＴしきい値計算構成要素２０６を含むことができる。
【００６４】
さらに、システム６００は、電気構成要素６０４および６０６に関連する機能を実行するための命令を保持するメモリ６０８を含むことができる。メモリ６０８の外部にあるものとして示されているが、電気構成要素６０４および６０６のうちの１つまたは複数は、メモリ６０８の内部に存在することができることを理解されたい。一例では、電気構成要素６０４および６０６は、少なくとも１つのプロセッサを備えることができるか、または各電気構成要素６０４および６０６は、少なくとも１つのプロセッサの対応するモジュールであり得る。さらに、追加または代替の例では、電気構成要素６０４および６０６は、コンピュータ可読媒体を備えるコンピュータプログラム製品であり得、各電気構成要素６０４および６０６は、対応するコードであり得る。
【００６５】
図７は、本明細書で提示する様々な態様によるワイヤレス通信システム７００を示す。システム７００は、複数のアンテナグループを含むことができる基地局７０２を備える。たとえば、１つのアンテナグループはアンテナ７０４および７０６を含み、別のグループはアンテナ７０８および７１０を備え、さらなるグループはアンテナ７１２および７１４を含むことができる。アンテナグループごとに２つのアンテナが示されているが、グループごとにより多いまたはより少ないアンテナを利用することができる。基地局７０２は、さらに、送信機チェーンと受信機チェーンとを含むことができ、送信機チェーンおよび受信機チェーンの各々は、諒解されるように、信号送信および信号受信に関連する複数の構成要素またはモジュール（たとえば、プロセッサ、変調器、マルチプレクサ、復調器、デマルチプレクサ、アンテナなど）を備えることができる。
【００６６】
基地局７０２は、モバイルデバイス７１６およびモバイルデバイス７２２などの１つまたは複数のモバイルデバイスと通信することができるが、基地局７０２は、モバイルデバイス７１６および７２２と同様の実質的にいかなる数のモバイルデバイスとも通信することができることを諒解されたい。モバイルデバイス７１６および７２２は、たとえば、セルラー電話、スマートフォン、ラップトップ、ハンドヘルド通信デバイス、ハンドヘルドコンピューティングデバイス、衛星ラジオ、全地球測位システム、ＰＤＡ、および／またはワイヤレス通信システム７００を介して通信するための他の任意の適切なデバイスとすることができる。図示のように、モバイルデバイス７１６は、アンテナ７１２および７１４と通信しており、アンテナ７１２および７１４は、順方向リンク７１８を介して情報をモバイルデバイス７１６に送信し、逆方向リンク７２０を介してモバイルデバイス７１６から情報を受信する。さらに、モバイルデバイス７２２は、アンテナ７０４および７０６と通信しており、アンテナ７０４および７０６は、順方向リンク７２４を介して情報をモバイルデバイス７２２に送信し、逆方向リンク７２６を介してモバイルデバイス７２２から情報を受信する。周波数分割複信（ＦＤＤ）システムでは、たとえば、順方向リンク７１８は、逆方向リンク７２０によって使用される周波数帯とは異なる周波数帯を利用し、順方向リンク７２４は、逆方向リンク７２６によって使用される周波数帯とは異なる周波数帯を使用することができる。さらに、時分割複信（ＴＤＤ）システムでは、順方向リンク７１８および逆方向リンク７２０は共通の周波数帯を利用し、順方向リンク７２４および逆方向リンク７２６は共通の周波数帯を利用することができる。
【００６７】
アンテナの各グループおよび／またはそれらが通信するように指定されたエリアを、基地局７０２のセクタと呼ぶことができる。たとえば、基地局７０２によってカバーされるエリアのセクタ中のモバイルデバイスに通信するようにアンテナグループを設計することができる。順方向リンク７１８および７２４を介した通信では、基地局７０２の送信アンテナは、モバイルデバイス７１６および７２２についての順方向リンク７１８および７２４の信号対雑音比を向上させるためにビームフォーミングを利用することができる。さらに、基地局７０２が、関連するカバレージ中に不規則に散在するモバイルデバイス７１６および７２２に送信するためにビームフォーミングを利用する間は、基地局が単一のアンテナを介してその基地局のすべてのモバイルデバイスに送信する場合と比較して、隣接セル内のモバイルデバイスは干渉を受けにくい。さらに、モバイルデバイス７１６および７２２は、図示のようにピアツーピアまたはアドホック技術を使用して互いに直接通信することができる。一例によれば、システム７００は、多入力多出力（ＭＩＭＯ）通信システム、または基地局７０２とモバイルデバイス７１６および／または７２２との間で多重キャリアを割り当てることを可能にする同様のシステムとすることができる。
【００６８】
図８には、例示的なワイヤレス通信システム８００を示す。ワイヤレス通信システム８００には、簡潔のために、１つの基地局８１０と、１つのモバイルデバイス８５０とを示してある。ただし、システム８００は、２つ以上の基地局および／または２つ以上のモバイルデバイスを含むことができ、追加の基地局および／またはモバイルデバイスは、以下で説明する例示的な基地局８１０およびモバイルデバイス８５０と実質的に同様または異なるものとすることができることを諒解されたい。さらに、基地局８１０および／またはモバイルデバイス８５０は、それらの間のワイヤレス通信を容易にするために、本明細書で説明するシステム（図１〜図２および図５〜図７）および／または方法（図３〜図４）を使用することができることを諒解されたい。たとえば、本明細書で説明するシステムの構成要素または機能および／あるいは方法は、メモリ８３２および／または８７２の一部、あるいは以下で説明するプロセッサ８３０および／または８７０であり得、ならびに／あるいは開示する機能を実行するために、プロセッサ８３０および／または８７０によって実行され得る。
【００６９】
基地局８１０において、いくつかのデータストリームのトラフィックデータがデータソース８１２から送信（ＴＸ）データプロセッサ８１４に供給される。一例によれば、各データストリームは、それぞれのアンテナを介して送信できる。ＴＸデータプロセッサ８１４は、トラフィックデータストリーム用に選択された特定の符号化方式に基づいて、そのデータストリームをフォーマット化し、符号化し、インタリーブして、符号化データを与える。
【００７０】
各データストリームの符号化データは、直交周波数分割多重（ＯＦＤＭ）技法を使用してパイロットデータと多重化できる。追加または代替として、パイロットシンボルは、周波数分割多重化（ＦＤＭ）、時分割多重化（ＴＤＭ）、または符号分割多重化（ＣＤＭ）できる。パイロットデータは、一般に、知られている方法で処理される知られているデータパターンであり、チャネル応答を推定するためにモバイルデバイス８５０において使用できる。各データストリームの多重化されたパイロットデータおよびコード化データは、そのデータストリーム用に選択された特定の変調方式（たとえば、２位相偏移キーイング（ＢＰＳＫ）、４位相偏移キーイング（ＱＰＳＫ）、Ｍ位相偏移キーイング（Ｍ−ＰＳＫ）、多値直交振幅変調（Ｍ−ＱＡＭ）など）に基づいて変調（たとえば、シンボルマッピング）され得、変調シンボルを与えることができる。各データストリームのデータレート、符号化、および変調は、プロセッサ８３０によって実行または与えられる命令によって判断できる。
【００７１】
データストリームの変調シンボルはＴＸ  ＭＩＭＯプロセッサ８２０に供給され、ＴＸ  ＭＩＭＯプロセッサ８２０は、（たとえば、ＯＦＤＭ用に）変調シンボルをさらに処理することができる。次いで、ＴＸ  ＭＩＭＯプロセッサ８２０は、ＮT個の変調シンボルストリームをＮT個の送信機（ＴＭＴＲ）８２２ａ〜８２２ｔに供給する。様々な実施形態では、ＴＸ  ＭＩＭＯプロセッサ８２０は、データストリームのシンボルと、シンボルの送信元のアンテナとにビームフォーミング重みを適用する。
【００７２】
各送信機８２２は、それぞれのシンボルストリームを受信し、処理して、１つまたは複数のアナログ信号を供給し、さらに、それらのアナログ信号を調整（たとえば、増幅、フィルタ処理、およびアップコンバート）して、ＭＩＭＯチャネルを介して送信するのに適した変調信号を供給する。さらに、送信機８２２ａ〜８２２ｔからのＮT個の被変調信号は、ＮT個のアンテナ８２４ａ〜８２４ｔからそれぞれ送信される。
【００７３】
モバイルデバイス８５０では、送信された変調信号はＮR個のアンテナ８５２ａ〜８５２ｒによって受信され、各アンテナ８５２からの受信信号は、それぞれの受信機（ＲＣＶＲ）８５４ａ〜８５４ｒに供給される。各受信機８５４は、それぞれの信号を調整（たとえば、フィルタ処理、増幅、およびダウンコンバート）し、調整された信号をデジタル化してサンプルを与え、さらに、それらのサンプルを処理して、対応する「受信」シンボルストリームを与える。
【００７４】
ＲＸデータプロセッサ８６０は、特定の受信機処理技法に基づいてＮR個の受信機８５４からＮR個の受信シンボルストリームを受信し、処理してＮT個の「検出」シンボルストリームを与えることができる。ＲＸデータプロセッサ８６０は、各検出シンボルストリームを復調し、デインタリーブし、復号して、データストリームのトラフィックデータを復元することができる。ＲＸデータプロセッサ８６０による処理は、基地局８１０においてＴＸ  ＭＩＭＯプロセッサ８２０およびＴＸデータプロセッサ８１４によって実行される処理を補足するものである。
【００７５】
逆方向リンクメッセージは、通信リンクおよび／または受信データストリームに関する様々なタイプの情報を備えることができる。逆方向リンクメッセージは、データソース８３６からいくつかのデータストリームのトラフィックデータをも受信するＴＸデータプロセッサ８３８によって処理され、変調器８８０によって変調され、送信機８５４ａ〜８５４ｒによって調整され、基地局８１０に戻され得る。
【００７６】
基地局８１０において、モバイルデバイス８５０からの変調信号は、アンテナ８２４によって受信され、受信機８２２によって調整され、復調器８４０によって復調され、ＲＸデータプロセッサ８４２によって処理されて、モバイルデバイス８５０によって送信された逆方向リンクメッセージが抽出される。さらに、プロセッサ８３０は、抽出されたメッセージを処理して、ビームフォーミング重みを判定するためにどのプリコーディング行列を使用すべきかを判定することができる。
【００７７】
プロセッサ８３０および８７０は、それぞれ基地局８１０およびモバイルデバイス８５０における動作を指示（たとえば、制御、調整、管理など）することができる。それぞれのプロセッサ８３０および８７０は、プログラムコードおよびデータを記憶するメモリ８３２および８７２に関連付けできる。たとえば、プロセッサ８３０および／または８７０は、説明したようにＲｏＴしきい値を計算すること、潜在的なデバイスのパスロスを判定すること、マクロセル基地局における最大干渉レベルを取得することなどの本明細書で説明する機能および／または構成要素に関連する命令を実行することができる、および／またはメモリ８３２および／または８７２はそれらを記憶することができる。
【００７８】
図９に、本明細書の教示が実装され得る、何人かのユーザをサポートするように構成されたワイヤレス通信システム９００を示す。システム９００は、たとえば、マクロセル９０２Ａ〜９０２Ｇなど、複数のセル９０２の通信を可能にし、各セルは、対応するアクセスノード９０４（たとえば、アクセスノード９０４Ａ〜９０４Ｇ）によってサービスされる。図９に示すように、アクセス端末９０６（たとえば、アクセス端末９０６Ａ〜９０６Ｌ）は、時間とともにシステム全体にわたって様々なロケーションに分散され得る。各アクセス端末９０６は、たとえば、アクセス端末９０６がアクティブかどうか、およびアクセス端末９０６がソフトハンドオフ中かどうかに応じて、所与の瞬間に順方向リンク（ＦＬ）および／または逆方向リンク（ＲＬ）上で１つまたは複数のアクセスノード９０４と通信することができる。ワイヤレス通信システム９００は広い地理的領域にわたってサービスを提供することができる。
【００７９】
図１０に、１つまたは複数のフェムトノードがネットワーク環境内に展開された例示的な通信システム１０００を示す。具体的には、システム１０００は、比較的小規模のネットワーク環境中に（たとえば、１つまたは複数のユーザ住居１０３０中に）設置された複数のフェムトノード１０１０Ａおよび１０１０Ｂ（たとえば、フェムトセルノードまたはＨ（ｅ）ＮＢ）を含む。各フェムトノード１０１０は、デジタル加入者回線（ＤＳＬ）ルータ、ケーブルモデム、ワイヤレスリンク、または他の接続手段（図示せず）を介して、ワイドエリアネットワーク１０４０（たとえば、インターネット）とモバイル事業者コアネットワーク１０５０とに結合され得る。以下で説明するように、各フェムトノード１０１０は、関連するアクセス端末１０２０（たとえば、アクセス端末１０２０Ａ）、および、随意に、外来アクセス端末１０２０（たとえば、アクセス端末１０２０Ｂ）をサービスするように構成され得る。言い換えれば、フェムトノード１０１０へのアクセスは、所与のアクセス端末１０２０が、指定された（１つまたは複数の）（たとえば、ホーム）フェムトノード１０１０のセットによってサービスされ得るが、指定されていない任意のフェムトノード１０１０（たとえば、ネイバーのフェムトノード）によってはサービスされ得ないように制限され得る。
【００８０】
図１１に、いくつかの追跡エリア１１０２（またはルーティングエリアまたはロケーションエリア）が画定されたカバレージマップ１１００の例を示し、そのエリアの各々はいくつかのマクロカバレージエリア１１０４を含む。ここで、追跡エリア１１０２Ａ、１１０２Ｂ、および１１０２Ｃに関連付けられたカバレージのエリアは太線によって示され、マクロカバレージエリア１１０４は六角形によって表される。追跡エリア１１０２はフェムトカバレージエリア１１０６をも含む。この例では、フェムトカバレージエリア１１０６の各々（たとえば、フェムトカバレージエリア１１０６Ｃ）は、マクロカバレージエリア１１０４（たとえば、マクロカバレージエリア１１０４Ｂ）内に示される。ただし、フェムトカバレージエリア１１０６は、完全にマクロカバレージエリア１１０４内にあるとは限らないことを諒解されたい。実際には、多数のフェムトカバレージエリア１１０６が所与のトラッキングエリア１１０２またはマクロカバレージエリア１１０４とともに画定され得る。また、１つまたは複数のピコカバレージエリア（図示せず）が所与のトラッキングエリア１１０２またはマクロカバレージエリア１１０４内に画定され得る。
【００８１】
再び図１０を参照すると、フェムトノード１０１０の所有者は、たとえば、３Ｇモバイルサービスなど、モバイル事業者コアネットワーク１０５０を介して提供されるモバイルサービスに加入することができる。さらに、アクセス端末１０２０は、マクロ環境と、より小規模の（たとえば、宅内）ネットワーク環境の両方で動作することが可能であり得る。したがって、たとえば、アクセス端末１０２０の現在ロケーションに応じて、アクセス端末１０２０は、アクセスノード１０６０によって、または、フェムトノード１０１０のセットのうちのいずれか１つ（たとえば、対応するユーザ住居１０３０内に常駐するフェムトノード１０１０Ａおよび１０１０Ｂ）によってサービスされ得る。たとえば、加入者は、自宅の外にいるときは標準のマクロセルアクセスノード（たとえば、ノード１０６０）によってサービスされ、自宅にいるときはフェムトノード（たとえば、ノード１０１０Ａ）によってサービスされる。ここで、フェムトノード１０１０は既存のアクセス端末１０２０と後方互換性があり得ることを諒解されたい。
【００８２】
フェムトノード１０１０は、単一の周波数上に展開され、または代替として、複数の周波数上に展開され得る。特定の構成に応じて、単一の周波数、あるいは複数の周波数のうちの１つまたは複数は、マクロセルアクセスノード（たとえば、ノード１０６０）によって使用される１つまたは複数の周波数と重複することがある。いくつかの態様では、アクセス端末１０２０は、そのような接続性が可能であるときはいつでも、好ましいフェムトノード（たとえば、アクセス端末１０２０のホームフェムトノード）に接続するように構成され得る。たとえば、アクセス端末１０２０は、ユーザの住居１０３０内にあるときはいつでも、ホームフェムトノード１０１０と通信することができる。
【００８３】
いくつかの態様では、アクセス端末１０２０がモバイル事業者コアネットワーク１０５０内で動作しているが、（たとえば、好適ローミングリスト中で定義された）それの最も好適なネットワーク上に常駐していない場合、アクセス端末１０２０は、ベターシステムリセレクション（ＢＳＲ：Better System Reselection）を使用して、最も好適なネットワーク（たとえば、フェムトノード１０１０）を探索し続けることができ、ベターシステムリセレクションでは、より良好なシステムが現在利用可能であるかどうかを判断するために利用可能なシステムの周期的スキャニングを行い、その後、そのような好適なシステムに関連付けようとすることができる。（たとえば、好適ローミングリスト中の）収集テーブルエントリを使用して、一例では、アクセス端末１０２０は、特定の帯域およびチャネルについて探索を制限することができる。たとえば、最も好適なシステムの探索が周期的に繰り返され得る。フェムトノード１０１０など好適なフェムトノードが発見されると、アクセス端末１０２０は、そのカバレージエリア内にキャンプするためのフェムトノード１０１０を選択する。
【００８４】
フェムトノードは、いくつかの態様では、制限され得る。たとえば、所与のフェムトノードが、いくつかのサービスをいくつかのアクセス端末のみに提供し得る。いわゆる制限（または限定）された関連付けを用いた展開では、所与のアクセス端末が、マクロセルモバイルネットワークと、フェムトノードの定義されたセット（たとえば、対応するユーザ住居１０３０内に常駐するフェムトノード１０１０）とのみによってサービスされ得る。いくつかの実装形態では、フェムトノードが、少なくとも１つのアクセス端末に、シグナリング、データアクセス、登録、ページング、またはサービスのうちの少なくとも１つを与えないように制限され得る。
【００８５】
いくつかの態様では、（限定加入者グループＨ（ｅ）ＮＢと呼ばれることもある）制限されたフェムトノードが、アクセス端末の制限されたプロビジョニングされたセットにサービスを提供するノードである。このセットは、必要に応じて一時的にまたは永続的に拡大され得る。いくつかの態様では、限定加入者グループ（ＣＳＧ）が、アクセス端末の共通のアクセス制御リストを共有するアクセスノード（たとえば、フェムトノード）のセットとして定義され得る。領域中のすべてのフェムトノード（またはすべての制限されたフェムトノード）が動作するチャネルは、フェムトチャネルと呼ばれることがある。
【００８６】
したがって、所与のフェムトノードと所与のアクセス端末との間に様々な関係が存在することがある。たとえば、アクセス端末の観点から、オープンフェムトノードが、制限された関連付けをもたないフェムトノードを指すことがある。制限されたフェムトノードは、何らかの形で制限された（たとえば、関連付けおよび／または登録について制限された）フェムトノードを指すことがある。ホームフェムトノードは、アクセス端末がアクセスし、その上で動作することを許可されるフェムトノードを指すことがある。ゲストフェムトノードは、アクセス端末がアクセスするかまたはその上で動作することを一時的に許可されるフェムトノードを指すことがある。外来フェムトノードは、おそらく非常事態（たとえば、９１１番）を除いて、アクセス端末がアクセスまたはその上で動作することを許可されない（たとえば、アクセス端末が非メンバーである）フェムトノードを指すことがある。
【００８７】
制限フェムトノードの観点から、ホームアクセス端末は、制限されたフェムトノードへのアクセスを許可されるアクセス端末を指すことがある。ゲストアクセス端末は、制限されたフェムトノードへの一時的アクセスをもつアクセス端末を指すことがある。外来アクセス端末は、おそらく非常事態、たとえば、９１１番を除いて、制限されたフェムトノードにアクセスする許可を有しないアクセス端末（たとえば、制限されたフェムトノードに登録するための証明書または許可を有しないアクセス端末）を指すことがある。
【００８８】
便宜のために、本明細書の開示では、フェムトノードの文脈で様々な機能について説明する。ただし、ピコノードは、フェムトノードと同じまたは同様の機能をより大きいカバレージエリアに提供することができることを諒解されたい。たとえば、所与のアクセス端末に対して、ピコノードを制限すること、ホームピコノードを定義することなどが行われ得る。
【００８９】
ワイヤレス多元接続通信システムは、複数のワイヤレスアクセス端末のための通信を同時にサポートすることができる。上述のように、各端末は、順方向リンクおよび逆方向リンク上の送信を介して１つまたは複数の基地局と通信することができる。順方向リンク（またはダウンリンク）とは、基地局から端末への通信リンクを指し、逆方向リンク（またはアップリンク）とは、端末から基地局への通信リンクを指す。この通信リンクは、単入力単出力システム、ＭＩＭＯシステム、または何らかの他のタイプのシステムを介して確立され得る。
【００９０】
本明細書で開示した実施形態に関して説明した様々な例示的な論理、論理ブロック、モジュール、構成要素、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサとすることができるが、代替として、プロセッサは、任意の従来のプロセッサ、コントローラ、マイクロコントローラ、または状態マシンとすることができる。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもできる。さらに、少なくとも１つのプロセッサは、上述のステップおよび／またはアクションの１つまたは複数を実行するように動作可能な１つまたは複数のモジュールを備えることができる。例示的な記憶媒体は、プロセッサが記憶媒体から情報を読み取り、記憶媒体に情報を書き込むことができるようにプロセッサに結合される。代替として、記憶媒体はプロセッサに一体化することができる。さらに、いくつかの態様では、プロセッサおよび記憶媒体はＡＳＩＣ中に常駐することができる。さらに、ＡＳＩＣはユーザ端末中に常駐することができる。代替として、プロセッサおよび記憶媒体は、ユーザ端末内に個別構成要素として常駐することもできる。
【００９１】
１つまたは複数の態様では、説明した機能、方法またはアルゴリズムは、ハードウェア、ソフトウェア、ファームウェア、またはそれらの任意の組合せで実装され得る。ソフトウェアで実装する場合、機能は、１つまたは複数の命令またはコードとして、コンピュータプログラム製品に組み込まれ得る、コンピュータ可読媒体上に記憶されるか、あるいはコンピュータ可読媒体上で送信され得る。コンピュータ可読媒体は、ある場所から別の場所へのコンピュータプログラムの転送を容易にする任意の媒体を含む、コンピュータ記憶媒体とコンピュータ通信媒体の両方を含む。記憶媒体は、コンピュータによってアクセスできる任意の利用可能な媒体とすることができる。限定ではなく例として、そのようなコンピュータ可読媒体は、ＲＡＭ、ＲＯＭ、ＥＥＰＲＯＭ、ＣＤ−ＲＯＭ、あるいは他の光ディスクストレージ、磁気ディスクストレージまたは他の磁気記憶デバイス、もしくは命令またはデータ構造の形態の所望のプログラムコードを搬送または記憶するために使用でき、コンピュータによってアクセスできる任意の他の媒体を備えることができる。また、実質的にいかなる接続もコンピュータ可読媒体と呼ばれ得る。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、通常、データをレーザで光学的に再生する。上記の組合せもコンピュータ可読媒体の範囲内に含めるべきである。
【００９２】
上記の開示では、例示的な態様および／または実施形態について論じたが、添付の特許請求の範囲によって定義された記載の態様および／または実施形態の範囲から逸脱することなく、様々な変更および改変を本明細書で行うことができることに留意されたい。さらに、記載の態様および／または実施形態の要素は、単数形で説明または請求されていることがあるが、単数形に限定することが明示的に述べられていない限り、複数形が企図される。さらに、任意の態様および／または実施形態の全部または一部は、別段の規定がない限り、任意の他の態様および／または実施形態の全部または一部とともに利用できる。
以下に、本願出願の当初の特許請求の範囲に記載された発明を付記する。
［Ｃ１］
フェムトノードと通信するデバイスとマクロセル基地局と通信するデバイスとの間のアップリンク干渉を管理するための方法であって、
マクロセル基地局に対するフェムトノードと通信する潜在的デバイスにおける第１のパスロスを判定することと、
前記フェムトノードに対する前記潜在的デバイスにおける第２のパスロスを判定することと、
前記第１のパスロスと前記第２のパスロスとの間の差、および前記マクロセル基地局における最大干渉レベルに少なくとも部分的に基づいて、前記フェムトノードのためのライズオーバサーマル（ＲｏＴ）しきい値を生成することとを備える方法。
［Ｃ２］
前記第１のパスロスを判定することが、前記フェムトノードから前記マクロセル基地局へのフェムトノードパスロスを測定することを備え、前記第２のパスロスを判定することが前記フェムトノードのカバレージエリアに基づくＣ１に記載の方法。
［Ｃ３］
前記フェムトノードに対するフェムトノードパスロスを測定することをさらに備え、前記フェムトノードに対する前記潜在的デバイスにおける前記パスロスを判定することが、前記フェムトノードのカバレージエリアを適用することを備えるＣ１に記載の方法。
［Ｃ４］
少なくとも１つのモバイルデバイスから前記フェムトノードへの前記第１のパスロスと、前記少なくとも１つのモバイルデバイスから前記マクロセル基地局への前記第２のパスロスとを備える、前記少なくとも１つのモバイルデバイスからの測定報告を受信することをさらに備えるＣ１に記載の方法。
［Ｃ５］
１つまたは複数のモバイルデバイスから前記フェムトノードへの複数のフェムトノードパスロスと、前記１つまたは複数のモバイルデバイスから前記マクロセル基地局への複数のマクロセルパスロスとを備える、前記１つまたは複数のモバイルデバイスからの１つまたは複数の測定報告を受信することをさらに備え、前記第１のパスロスを判定することが前記複数のフェムトノードパスロスに基づき、前記第２のパスロスを判定することが前記複数のマクロセルパスロスに基づくＣ１に記載の方法。
［Ｃ６］
前記マクロセル基地局の第１の雑音フロアレベルと前記フェムトノードの第２の雑音フロアレベルとの差に部分的に基づいて、前記マクロセル基地局における前記最大干渉レベルを判定することをさらに備えるＣ１に記載の方法。
［Ｃ７］
セル外干渉に適用される最大逆方向リンク（ＲＬ）減衰レベルを判定することと、
前記ＲｏＴしきい値を前記最大ＲＬ減衰レベルにマッピングすることと、
前記ＲｏＴしきい値と前記最大ＲＬ減衰レベルとの間の差として新しいしきい値を生成することとをさらに備えるＣ１に記載の方法。
［Ｃ８］
前記ＲｏＴしきい値を生成することが、絶対最大ＲｏＴしきい値または絶対最小ＲｏＴしきい値にさらに基づくＣ１に記載の方法。
［Ｃ９］
前記ＲｏＴしきい値に対する現在のＲｏＴを１つまたは複数のデバイスに示すことをさらに備えるＣ１に記載の方法。
［Ｃ１０］
前記ＲｏＴしきい値に対する現在のＲｏＴに部分的に基づいて、アップリンクデータレートを適合させるために１つまたは複数のデバイスにコマンドを通信することをさらに備えるＣ１に記載の方法。
［Ｃ１１］
フェムトノードと通信するデバイスとマクロセル基地局と通信するデバイスとの間のアップリンク干渉を管理するための装置であって、
マクロセル基地局に対するフェムトノードと通信する潜在的デバイスにおける第１のパスロスを判定し、
前記フェムトノードに対する前記潜在的デバイスにおける第２のパスロスを判定し、
前記第１のパスロスと前記第２のパスロスとの間の差、および前記マクロセル基地局における最大干渉レベルに少なくとも部分的に基づいて、前記フェムトノードのためのライズオーバサーマル（ＲｏＴ）しきい値を生成するように構成された少なくとも１つのプロセッサと、
前記少なくとも１つのプロセッサに結合されたメモリとを備える装置。
［Ｃ１２］
前記少なくとも１つのプロセッサが、前記フェムトノードから前記マクロセル基地局へのフェムトノードパスロスを測定することに部分的に基づいて前記第１のパスロスを判定し、前記少なくとも１つのプロセッサが、前記フェムトノードのカバレージエリアに基づいて前記第２のパスロスを判定するＣ１１に記載の装置。
［Ｃ１３］
前記少なくとも１つのプロセッサが、前記フェムトノードに対するフェムトノードパスロスを測定するようにさらに構成され、前記少なくとも１つのプロセッサが、部分的に前記フェムトノードのカバレージエリアを適用することによって、前記フェムトノードに対する前記潜在的デバイスにおける前記パスロスを判定するＣ１１に記載の装置。
［Ｃ１４］
前記少なくとも１つのプロセッサが、少なくとも１つのモバイルデバイスから前記フェムトノードへの前記第１のパスロスと、前記少なくとも１つのモバイルデバイスから前記マクロセル基地局への前記第２のパスロスとを備える、前記少なくとも１つのモバイルデバイスからの測定報告を受信するようにさらに構成されるＣ１１に記載の装置。
［Ｃ１５］
フェムトノードと通信するデバイスとマクロセル基地局と通信するデバイスとの間のアップリンク干渉を管理するための装置であって、
マクロセル基地局に対するフェムトノードと通信する潜在的デバイスにおける第１のパスロスを判定し、前記フェムトノードに対する前記潜在的デバイスにおける第２のパスロスを判定するための手段と、
前記第１のパスロスと前記第２のパスロスとの間の差、および前記マクロセル基地局における最大干渉レベルに少なくとも部分的に基づいて、前記フェムトノードのためライズオーバサーマル（ＲｏＴ）しきい値を生成するための手段とを備える装置。
［Ｃ１６］
前記判定するための手段が、部分的に前記フェムトノードから前記マクロセル基地局へのフェムトノードパスロスを測定することによって前記第１のパスロスを判定し、前記判定するための手段が、前記フェムトノードのカバレージエリアに基づいて前記第２のパスロスを判定するＣ１５に記載の装置。
［Ｃ１７］
前記判定するための手段が、前記フェムトノードに対するフェムトノードパスロスを測定し、部分的に前記フェムトノードのカバレージエリアを適用することによって、前記フェムトノードに対する前記潜在的デバイスにおける前記パスロスを判定するＣ１５に記載の装置。
［Ｃ１８］
少なくとも１つのモバイルデバイスから前記フェムトノードへの前記第１のパスロスと、前記少なくとも１つのモバイルデバイスから前記マクロセル基地局への前記第２のパスロスとを備える、前記少なくとも１つのモバイルデバイスからの測定報告を受信するための手段をさらに備えるＣ１５に記載の装置。
［Ｃ１９］
フェムトノードと通信するデバイスとマクロセル基地局と通信するデバイスとの間のアップリンク干渉を管理するためのコンピュータプログラム製品であって、
少なくとも１つのコンピュータに、マクロセル基地局に対するフェムトノードと通信する潜在的デバイスにおける第１のパスロスを判定させるためのコードと、
前記少なくとも１つのコンピュータに、前記フェムトノードに対する前記潜在的デバイスにおける第２のパスロスを判定させるためのコードと、
前記少なくとも１つのコンピュータに、前記第１のパスロスと前記第２のパスロスとの間の差、および前記マクロセル基地局における最大干渉レベルに少なくとも部分的に基づいて、前記フェムトノードのためのライズオーバサーマル（ＲｏＴ）しきい値を生成させるためのコードとを備えるコンピュータ可読媒体を備えるコンピュータプログラム製品。
［Ｃ２０］
前記少なくとも１つのコンピュータに判定させるための前記コードが、部分的に前記フェムトノードから前記マクロセル基地局へのフェムトノードパスロスを測定することによって前記第１のパスロスを判定し、前記フェムトノードのカバレージエリアに基づいて前記第２のパスロスを判定するＣ１９に記載のコンピュータプログラム製品。
［Ｃ２１］
前記コンピュータ可読媒体が、前記少なくとも１つのコンピュータに、前記フェムトノードに対するフェムトノードパスロスを測定させるためのコードをさらに備え、前記少なくとも１つのコンピュータに判定させるための前記コードが、部分的に前記フェムトノードのカバレージエリアを適用することによって、前記フェムトノードに対する前記潜在的デバイスにおける前記パスロスを判定するＣ１９に記載のコンピュータプログラム製品。
［Ｃ２２］
前記コンピュータ可読媒体が、前記少なくとも１つのコンピュータに、少なくとも１つのモバイルデバイスから前記フェムトノードへの前記第１のパスロスと、前記少なくとも１つのモバイルデバイスから前記マクロセル基地局への前記第２のパスロスとを備える、前記少なくとも１つのモバイルデバイスからの測定報告を受信させるためのコードをさらに備えるＣ１９に記載のコンピュータプログラム製品。
［Ｃ２３］
フェムトノードと通信するデバイスとマクロセル基地局と通信するデバイスとの間のアップリンク干渉を管理するための装置であって、
マクロセル基地局に対するフェムトノードと通信する潜在的デバイスにおける第１のパスロスを判定し、前記フェムトノードに対する前記潜在的デバイスにおける第２のパスロスを判定するためのデバイスパスロス判定構成要素と、
前記第１のパスロスと前記第２のパスロスとの間の差、および前記マクロセル基地局における最大干渉レベルに少なくとも部分的に基づいて、前記フェムトノードのためのライズオーバサーマル（ＲｏＴ）しきい値を生成するためのＲｏＴしきい値計算構成要素とを備える装置。
［Ｃ２４］
前記デバイスパスロス判定構成要素が、部分的に前記フェムトノードから前記マクロセル基地局へのフェムトノードパスロスを測定することによって前記第１のパスロスを判定し、前記フェムトノードのカバレージエリアに基づいて前記第２のパスロスを判定するＣ２３に記載の装置。
［Ｃ２５］
前記デバイスパスロス判定構成要素が、前記フェムトノードに対するフェムトノードパスロスを測定し、部分的に前記フェムトノードのカバレージエリアを適用することによって、前記フェムトノードに対する前記潜在的デバイスにおける前記パスロスを判定するＣ２３に記載の装置。
［Ｃ２６］
少なくとも１つのモバイルデバイスから前記フェムトノードへの前記第１のパスロスと、前記少なくとも１つのモバイルデバイスから前記マクロセル基地局への前記第２のパスロスとを備える、前記少なくとも１つのモバイルデバイスからの測定報告を受信するための測定報告受信構成要素をさらに備えるＣ２３に記載の装置。
［Ｃ２７］
１つまたは複数のモバイルデバイスから前記フェムトノードへの複数のフェムトノードパスロスと、前記１つまたは複数のモバイルデバイスから前記マクロセル基地局への複数のマクロセルパスロスとを備える、前記１つまたは複数のモバイルデバイスからの１つまたは複数の測定報告を受信するための測定報告受信構成要素をさらに備え、前記デバイスパスロス判定構成要素が、前記複数のフェムトノードパスロスに基づいて前記第１のパスロスを判定し、前記第２のパスロスが前記複数のマクロセルパスロスに基づくＣ２３に記載の装置。
［Ｃ２８］
前記マクロセル基地局の第１の雑音フロアレベルと前記フェムトノードの第２の雑音フロアレベルとの差に部分的に基づいて、前記マクロセル基地局における前記最大干渉レベルを判定するための最大干渉判定構成要素をさらに備えるＣ２３に記載の装置。
［Ｃ２９］
セル外干渉に適用される最大逆方向リンク（ＲＬ）減衰レベルを判定し、前記ＲｏＴしきい値を前記最大ＲＬ減衰レベルにマッピングするためのＲＬ減衰構成要素をさらに備え、前記ＲｏＴしきい値計算構成要素が、前記ＲｏＴしきい値と前記最大ＲＬ減衰レベルとの差として新しいＲｏＴしきい値を生成するＣ２３に記載の装置。
［Ｃ３０］
前記ＲｏＴしきい値計算構成要素が、絶対最大ＲｏＴしきい値または絶対最小ＲｏＴしきい値にさらに基づいて前記ＲｏＴしきい値を生成するＣ２３に記載の装置。
［Ｃ３１］
前記ＲｏＴしきい値に対する現在のＲｏＴを１つまたは複数のデバイスに示すためのＲｏＴしきい値実行構成要素をさらに備えるＣ２３に記載の装置。
［Ｃ３２］
前記ＲｏＴしきい値に対する現在のＲｏＴに部分的に基づいて、アップリンクデータレートを適合させるために１つまたは複数のデバイスにコマンドを通信するためのＲｏＴしきい値実行構成要素をさらに備えるＣ２３に記載の装置。
【図１】
0005607256.tif 000012
【図２】
0005607256.tif 000013
【図３】
0005607256.tif 000014
【図４】
0005607256.tif 000015
【図５】
0005607256.tif 000016
【図６】
0005607256.tif 000017
【図７】
0005607256.tif 000018
【図８】
0005607256.tif 000019
【図９】
0005607256.tif 000020
【図１０】
0005607256.tif 000021
【図１１】
0005607256.tif 000022